(57)【要約】【課題】遊技盤を遊技機枠に取り付けることによって、遊技盤の電気部品と遊技機枠の電気部品との接続が行えるようにする。【解決手段】上回転係合部４６が上回転係合部１６に嵌め込まれ、遊技盤４１が人によって下方に向けて回転操作されると、下滑走係合部１７が下誘導溝４８に取り込まれ、下滑走係合部４７と下滑走係合部１７とが互いに嵌まり合ったまま、下滑走係合部４７が骨格部１４の方向に滑走し、遊技盤４１の左側部が盤収納室構造体８に配置された後、遊技盤４１の右側部が人によって前側から可動枠３の方向に押されるのに伴い、枠側取付構造体１１がヒンジ１５を中心として可動枠３の方向に回転し、枠側電気接続構造体２０が背壁９の前面と平行に左右上下方向に移動し、枠側電気接続構造体２０と盤側電気接続構造体４４とが互いに接続される。【選択図】図１
2006280856.tif 000002
【特許請求の範囲】
【請求項１】
遊技機枠における盤収納室構造体の左側部に枠側取付構造体が設けられ、盤収納室構造体の右側部には枠側電気接続構造体が設けられ、遊技盤の右側部には盤側電気接続構造体が設けられ、遊技盤の左側部が遊技機枠の前側から盤収納室構造体における枠側取付構造体に嵌め込まれ、遊技盤が遊技機枠の方向に押されることによって遊技盤の左側部の枠側取付構造体に嵌め込まれた部分を中心として盤収納室構造体に格納されるのに伴い、枠側電気接続構造体と盤側電気接続構造体とが互いに接続されるパチンコ遊技機の遊技盤取付装置において、枠側電気接続構造体が盤収納室構造体における背壁の前面と平行な縦横方向に移動可能に取り付けられるか、または、盤側電気接続構造体が遊技盤の裏面と平行な縦横方向に移動可能に取り付けられたことを特徴とするパチンコ遊技機の遊技盤取付装置。
【発明の詳細な説明】
【技術分野】
【０００１】
本発明は、電気部品の搭載された遊技盤を電気部品の搭載された遊技機枠に取り付けることによって、遊技盤の電気部品と遊技機枠の電気部品との接続も行える、パチンコ遊技機の遊技盤取付装置に関する。
【背景技術】
【０００２】
パチンコ遊技機には、遊技機枠を前側から見た場合、遊技機枠の左側部に上下一対の枠側取付構造体を前後方向に回転可能に設け、枠側取付構造体を遊技機枠から前側に回転させた状態において、電気部品の搭載された遊技盤を遊技盤の左側部を電気部品の搭載された遊技機枠の前側から枠側取付構造体に挿入し、遊技盤の右側部を人が前側から後側に押すことによって、遊技盤を遊技機枠に取り付けるものが知られている（特許文献１参照）。また、遊技機枠の裏側に溝状の枠側取付構造体とコネクタとを設け、コネクタおよび電気部品の搭載された遊技盤を遊技機枠の一側方から枠側取付構造体に嵌め込むことによって、遊技盤のコネクタと遊技機枠のコネクタとを互いに接続するものも知られている（特許文献２参照）。そこで、前者の回転可能な枠側取付構造体に後者のコネクタを設けることによって、電気部品の搭載された遊技盤を電気部品の搭載された遊技機枠に取り付けるのに伴い、遊技盤のコネクタと遊技機枠のコネクタとを嵌め合わせることによって、遊技盤の電気部品と遊技機枠の電気部品との接続を行うことが考えられる。しかしながら、遊技盤のコネクタおよび遊技機枠のコネクタには、コネクタピンと呼ばれる電気接続端子の本数の多いコネクタが用いられることから、遊技盤を遊技機枠に取り付けるのに伴い、本数の多い電気接続端子どうしを適切に嵌め合わせるために、遊技盤と枠側取付構造体とをがたつくことがないように組み合わせる構造が必要であり、遊技盤と枠側取付構造体とをがたつくことがないように組み合わせるようにした場合、遊技盤の枠側取付構造体への取付作業が面倒となり、にわかに採用しがたいものである。
【特許文献１】特開平８−１９６４７号公報
【特許文献２】特開平８−１７３６１５号公報
【発明の開示】
【発明が解決しようとする課題】
【０００３】
発明が解決しようとする問題点は、電気部品の搭載された遊技盤を電気部品の搭載された遊技機枠に取り付けるのに伴い、遊技盤の電気部品と遊技機枠の電気部品との接続も行える構造が、にわかに採用しがたいという点である。
【課題を解決するための手段】
【０００４】
本発明に係るパチンコ遊技機の遊技盤取付装置は、遊技機枠における盤収納室構造体の左側部に枠側取付構造体が設けられ、盤収納室構造体の右側部には枠側電気接続構造体が設けられ、遊技盤の右側部には盤側電気接続構造体が設けられ、遊技盤の左側部が遊技機枠の前側から盤収納室構造体における枠側取付構造体に嵌め込まれ、遊技盤が遊技機枠の方向に押されることによって遊技盤の左側部の枠側取付構造体に嵌め込まれた部分を中心として盤収納室構造体に格納されるのに伴い、枠側電気接続構造体と盤側電気接続構造体とが互いに接続されるパチンコ遊技機の遊技盤取付装置において、枠側電気接続構造体が盤収納室構造体における背壁の前面と平行な縦横方向に移動可能に取り付けられるか、または、盤側電気接続構造体が遊技盤の裏面と平行な縦横方向に移動可能に取り付けられたことを最も主要な特徴とする。
【発明の効果】
【０００５】
本発明に係るパチンコ遊技機の遊技盤取付装置は、遊技盤の左側部が遊技機枠の前側から枠側取付構造体に挿入された後、遊技盤の右側部が人によって前側から盤収納室構造体の方向に押されるのに伴い、遊技盤が左側部を中心として盤収納室構造体の方向に回転し、枠側電気接続構造体が盤収納室構造体における背壁の前面と平行な縦横方向に移動するか、または、盤側電気接続構造体が遊技盤の裏面と平行な縦横方向に移動し、枠側電気接続構造体と盤側電気接続構造体とが互いに接続されるので、電気部品の搭載された遊技盤を電気部品の搭載された遊技機枠に取り付けることによって、遊技盤の電気部品と遊技機枠の電気部品との相互接続が行えるという利点がある。
【発明を実施するための最良の形態】
【０００６】
図１乃至図８は、発明を実施するための最良の形態である。図１は、遊技機枠１と遊技盤４１とを分解して示す。図２は、可動枠３を後側から示す。図３は枠側電気接続構造体２０を可動枠３に取り付ける構造を分解して示す。図４は、枠側電気接続構造体２０が可動枠３に取り付けられた構造を縦方向に切断した断面を示す。図５は、盤側電気接続構造体４４を遊技盤４１に取り付ける構造を分解して示す。図６は、枠側取付構造体１１を示す。図７のａ図は、開度保持部１２と開度規制部１３と開度保持部１８との関係の正面を示す。図７のｂ図は、図７のａ図をＢ−Ｂ線に沿い切断した断面を示す。図８は、遊技盤取付装置によって遊技盤４１が盤収納室構造体８に取り付けられる過程を横方向に切断した断面を示す。この明細書において、「前」、「後」、「裏」、「左」、「右」、「上」、「下」の方向は、図１の状態に遊技機枠１および遊技盤４１を置いて矢印Ａで示す前側から見た場合に特定される方向である。「後」と「裏」とは同じ方向である。
【０００７】
図１を参照し、パチンコ遊技機の構造について説明する。パチンコ遊技機は、遊技機枠１に遊技盤を取り付けることによって構成される。遊技機枠１は、固定枠２の前側に可動枠３を、左側に位置するヒンジ４を中心として固定枠２の前側で前側に開かれかつ後側に閉じられるように、片開き可能に備え、可動枠３の前側に前扉５および球皿構造体６を、左側に位置するヒンジ７を中心として可動枠３の前側で前側に開かれかつ後側に閉じられるように、個別に片開き可能に備える。固定枠２は、パチンコ店の図外の遊技機設置構造体に取り付けるための外枠とも呼ばれる。可動枠３は、遊技盤４１を取り付ける前枠とも呼ばれ、前側に開口した盤収納室構造体８を内部に備える。盤収納室構造体８の背壁９には前後方向に貫通する中央開口部１０を備える。盤収納室構造体８の左側部には、図６で詳述する枠側取付構造体１１、図７で詳述する開度保持部１２、図７で詳述する開度規制部１３が設けられる。枠側取付構造体１１は、縦長な骨格部１４に上下のヒンジ１５、上回転係合部１６、下滑走係合部１７および開度保持部１８を備える。骨格部１４は背壁９の前側に配置され、ヒンジ１５が可動枠３における盤収納室構造体８の上部を仕切る部分と盤収納室構造体８の下部を仕切る部分とに回転可能に取り付けられる。そして、枠側取付構造体１１は、人の操作によって、ヒンジ１５を中心とし、可動枠３の前側で前側に開かれかつ後側に閉じられるように、盤収納室構造体８の左側部に前後方向に回転可能に作動する。盤収納室構造体８の右側部には、盤固定操作部１９、図３で詳述する枠側電気接続構造体２０が設けられる。盤固定操作部１９は、背壁９から前側に突出するように背壁９に回転可能に取り付けられる。可動枠３の右縦片部には、施錠装置２１と複数のロック機構２２；２３；２４およびロック解除操作体２５が設けられる。施錠装置２１は、前側から鍵を挿入する鍵穴２６を備える。
【０００８】
盤収納室構造体８の下縁部は、遊技盤４１を搭載する左右方向に平坦な面としての盤棚２７を形成する。盤棚２７から下方に延設された前壁２８の前面には、球発射機構２９、球発射レール３０、戻り球取入口３１、払出球中継樋３２が設けられる。前壁２８の裏面には、機外排出樋３３が設けられる。球発射レール３０は、球皿構造体６の球供給口３８から供給された１個の球を受け取る。球発射機構２９は、電力の供給と遮断とを交互に受けることによって、球皿構造体６の球皿部３６から球発射レール３０に供給された球を遊技盤４１の遊技領域に向けて１個ずつ発射する。球発射レール３０は、球発射機構２９から発射された球を、遊技盤４１における球発射通路の入口に誘導する。払出球中継樋３２は、可動枠３の裏側に設けられた図外の球払出装置から払い出された球を球皿構造体６の球取入口３９に排出する。機外排出樋３３は、遊技盤４１の裏側から排出された球を受け取って遊技機設置構造体における捕球機構に排出する。前扉５は、パネル枠とも呼ばれ、前後方向に貫通する窓３４を囲む額縁形状である。前扉５には、前面パネル３５が、窓３４を裏側から覆うように取り付けられる。前面パネル３５は、ガラスまたは合成樹脂など、光を透過する性質の有る材料からなる板状である。球皿構造体６の前面には、球皿部３６および球発射操作機構３７が設けられる。球皿部３６は、遊技に使用する球を受ける上方に開口した上方から下方に窪む容器である。球発射操作機構３７は、遊技者が球を発射するために操作するものである。球皿構造体６の裏面には、球供給口３８および球取入口３９が設けられる。球供給口３８は、球皿部３６から球発射機構２９に球を供給する部分である。球取入口３９は、払出球中継樋３２から排出された球を球皿部３６に供給する部分である。
【０００９】
遊技機枠１では、可動枠３や前扉５および球皿構造体６が閉じられてロック機構２２；２３；２４で固定枠２に開閉不能に支持された場合、遊技店の店員が図外のキープレート（鍵）を遊技機枠１の前側から施錠装置２１の鍵穴２６に挿入し、当該キープレートを例えば右側に９０度回転操作すると、固定枠２と可動枠３とのロック機構２２による支持形態が解除される。この支持形態の解除後に、店員が可動枠３を前側に引くことによって、可動枠３はヒンジ４を中心として固定枠２の前側に片開きされる。また、上記鍵穴２６に挿入されたキープレートが店員によって例えば左側に９０度回転操作されると、可動枠３と前扉５とのロック機構２３による支持形態が解除される。この支持形態の解除後に、店員が前扉５を前側に引くことによって、前扉５はヒンジ７を中心として可動枠３の前側に片開きされる。このように、前扉５が前側に開かれた状態において、店員が可動枠３の前面に設けられたロック解除操作体２５を操作すると、可動枠３と球皿構造体６とのロック機構２４による支持形態が解除される。この支持形態の解除後に、店員が球皿構造体６を前側に引くことによって、球皿構造体６はヒンジ７を中心として可動枠３の前側に片開きされる。
【００１０】
遊技盤４１の裏面４２には、盤側取付構造体４３および盤側電気接続構造体４４が設けられる。盤側取付構造体４３は、遊技盤４１の左側部に取り付けられる。盤側電気接続構造体４４は、遊技盤４１の右側部に取り付けられる。盤側取付構造体４３は、縦長な骨格部４５の上部に上回転係合部４６を備え、骨格部４５の下部に下滑走係合部４７を備える。上回転係合部４６は、骨格部４５の上部から裏側および前側に直線的に突出した丸棒により構成される。下滑走係合部４７は、骨格部４５の下部から裏側に突出した後に下方に折り曲げられた形状である。下滑走係合部４７の前面と骨格部４５の裏面との間には、左側と右側および下側に開口した下誘導溝４８が形成される。下誘導溝４８は、下滑走係合部１７を移動可能に取り込む溝である。遊技盤４１の右側部には、ロック挿入孔４９が前後方向への貫通孔として設けられる。遊技盤４１の裏面４２には、図示はしないが、案内構造体が設けられる。球案内構造体は、セット板とも呼ばれ遊技盤４１の前面における図外の内ガイドレールと外ガイドレールとで囲まれた内側の遊技領域から入賞部品やアウト口に取り込まれて遊技盤４１の裏側に排出されたパチンコ球と呼ばれる球を、下方に誘導して排出する。遊技盤４１の裏側には、遊技盤４１の前面に設けられた遊技部品の裏機構が、遊技盤４１に形成された図外の逃孔や図外の球案内構造体に形成された逃孔を経由して遊技盤４１の裏側および球案内構造体の裏側に突出する。遊技盤４１の裏側に突出した裏機構を有する遊技部品は、図外の図柄表示器、図外の可動部品、図外の入賞部品、図外のサイドランプなどである。図柄表示器の１つは、遊技領域の中央に設けられ、液晶表示器、ＣＲＴ表示器、プラズマディスプレイなどのような電気的に表示形態を変えられる画像を表示画面に表示する画像表示器により形成され、裏機構として図柄制御装置を備える。図柄表示器のもう１つは、遊技領域の右側下部に設けられ、複数の図柄の印刷された図柄表示体をステップモータで回転する構造であって、裏機構としてステップモータを備える。
【００１１】
球案内構造体の裏面には、図示はしないが、盤側配線と主制御装置および演出制御装置が設けられる。盤側配線は、遊技盤４１に設けられた電気部品と接続された多数本の箔形状の図外の電線が、可撓性を有する合成樹脂基板の表面に付設された構造である。盤側配線における電線の表面は、レジスト膜のような電気絶縁材で被覆され、人や球などの接触から保護される。盤側配線で接続される遊技盤４１に設けられた電気部品としては、図柄表示器の駆動源、可動部品の駆動源、図柄制御装置、主制御装置、演出制御装置、入賞部品の球検出器、可変入賞部品の駆動源および球検出器、図外のサイドランプの表示灯である。
【００１２】
遊技盤４１の遊技機枠１への取り付け方について説明する。遊技機枠１の前扉５が前側に開けられ、枠側取付構造体１１が人によって可動枠３の前側に回転され、上回転係合部１６および下滑走係合部１７が可動枠３の前面に対し斜め前側に向き、可動枠３の開度保持部１２と枠側取付構造体１１の開度保持部１８とが互いに係合し、枠側取付構造体１１の前側に回転された位置である最大開き角度が保持される。このように開度保持部１２と開度保持部１８とが互いに係合した状態において、枠側取付構造体１１に前側に回転するような外力が加わった場合、枠側取付構造体１１が開度規制部１３に衝突し、上記開度保持部１２と開度保持部１８との係合が保たれ、枠側取付構造体１１が前側にそれ以上回転しない。よって、開度保持部１２および開度保持部１８は、互いに係合することによって、枠側取付構造体１１を前側に回転されて最大に開いた角度の位置に保持するものであり、開度規制部１３は、前側に回転される枠側取付構造体１１を受け止めることによって、枠側取付構造体１１を前側にそれ以上回転しないように、枠側取付構造体１１の開き角度を規制するものである。
【００１３】
次に、人が遊技盤４１を手で持ち、遊技盤４１の前面が前側に向けられ、遊技盤４１の裏面４２が可動枠３の前面に対し斜めに向けられ、遊技盤４１の左側部が可動枠３に前側から近づけられ、盤側取付構造体４３の上回転係合部４６が枠側取付構造体１１の上回転係合部１６に係合される。この場合、前記のように開度保持部１２；１８が互いに係合していることによって、枠側取付構造体１１が前後方向に回転しがたい状態となっているので、遊技盤４１を枠側取付構造体１１に挿入する場合、枠側取付構造体１１が後側に逃げにくくなり、遊技盤４１の左側部を枠側取付構造体１１に挿入する作業性がよい。上記上回転係合部１６；４６の相互による係合によって、遊技盤４１は、上記互いに係合した上回転係合部１６；４６を中心として下方に向けて回転可能となる。その後、遊技盤４１が人によって下方に向けて回転操作されることによって、枠側取付構造体１１の下滑走係合部１７が盤側取付構造体４３の下誘導溝４８に取り込まれ、下滑走係合部４７と下滑走係合部１７とが互いに嵌まり合ったまま、下滑走係合部４７が骨格部１４の方向に滑走し、枠側取付構造体１１と盤側取付構造体４３とが互いに正規な形態に組み合わされ、遊技盤４１の下縁部が可動枠３の盤棚２７と平行な態様になり、遊技盤４１の枠側取付構造体１１に取り込まれた左側部が盤収納室構造体８に配置される。
【００１４】
引き続き、遊技盤４１の右側部が人によって前側から可動枠３の方向である後側に押されると、開度保持部１２と開度保持部１８との係合が解除された後、枠側取付構造体１１がヒンジ１５を中心として可動枠３の方向に回転し、盤側電気接続構造体４４が枠側電気接続構造体２０に接触する。枠側電気接続構造体２０と盤側電気接続構造体４４とが互いに接触するのに伴い、枠側電気接続構造体２０が背壁９の前面と平行に左右上下方向に移動し、枠側電気接続構造体２０と盤側電気接続構造体４４との位置が互いに整合し、枠側電気接続構造体２０の電気接続端子と盤側電気接続構造体４４の電気接続端子とが互いに接続され、遊技機枠１の盤固定操作部１９が遊技盤４１のロック挿入孔４９に後側から挿入されて前側に突出する。その状態において、人が盤固定操作部１９を例えば左方向に９０度回転操作すると、盤固定操作部１９が遊技盤４１におけるロック挿入孔４９の周りの前面に係合し、遊技盤４１におけるロック挿入孔４９の周りの裏面が盤固定操作部１９の周りの背壁９に受け止められ、遊技盤４１が可動枠３の盤収納室構造体８に正規な形態に取り付けられる。その後、前扉５が閉じられる。これによって、パチンコ機が構成される。このパチンコ機は、遊技盤４１が遊技機枠１の内部に格納され、遊技盤４１の前側が前扉５で覆われ、遊技盤４１の遊技領域が遊技機枠１の前側から前扉５の前面パネル３５を通して視認し得る形態である。
【００１５】
図２を参照し、可動枠３の裏側の構造について説明する。可動枠３の裏面には、タンク構造体５０、球払出機構５１、電源装置５２、発射払出制御装置５３が取り付けられる。タンク構造体５０は、パチンコ店の遊技機設置構造体に付設された図外の球補給機構から供給されるパチンコ球と呼ばれる球を貯蔵するものであって、中央開口部１０の上部に配置される。球払出機構５１は、パチンコ球と呼ばれる球が、タンク構造体５０の内部に貯蔵され、この貯蔵された球がタンク構造体５０から球払出機構５１の内部に供給された状態において、球払出機構５１における図外の払出駆動源たるステップモータが一方向に回転して球払出機構５１のスプロケットのような図外の球払出体を一方向に回転するのに伴い、球払出体が球払出機構５１の内部における球を１個ずつ分離しつつ球払出機構５１における図外の払出球検出器に送り出し、払出球検出器が球を検出するごとに電気的な払出球検出信号を主制御装置および発射払出制御装置５３に出力する。払出球検出器を通過した球は、図外の満タン検出機構を経由して図１の払出球中継樋３２に到達する。満タン検出機構は、中央開口部１０の下部に配置される。満タン検出機構の内部には、図外の満タン検出器を備える。満タン検出器は、図１の球皿部３６から払出球中継樋３２および満タン検出器まで球が満杯となると、主制御装置による賞球制御を停止するために、満タン検出器が満杯となった球でオン動作して電気的な満杯検出信号を主制御装置に出力する。
【００１６】
図３を参照し、枠側電気接続構造体２０の可動枠３への取付構造について説明する。可動枠３には、枠側電気接続構造体２０を取り付ける部分としてのコネクタ取付部５５が、背壁９と平行で背壁９から後側に突出する。コネクタ取付部５５には、複数の取付足５６が前側に突出する。枠側電気接続構造体２０は、取付台５７、コネクタ容器５８、コネクタ基板５９、内部コネクタ６０、外部コネクタ６１、抜止体６２を備える。取付台５７には、上下の可動用孔６４および上下のねじ挿入孔６５が設けられる。可動用孔６４は、コネクタ容器５８の支柱６７の外径よりも大きな口径を有し、前後方向への方形な貫通孔として形成される。ねじ挿入孔６５は、コネクタ取付部５５の取付足５６位置が対応し、前後方向への貫通孔として形成される。コネクタ容器５８には、上下の位置決め部６６および上下の支柱６７が設けられる。位置決め部６６は、枠側電気接続構造体２０と図１の盤側電気接続構造体４４とが嵌め込まれる場合に、図５の位置決め部８１に嵌め込まれることによって、枠側電気接続構造体２０と盤側電気接続構造体４４との位置を整合させるものであって、内部コネクタ６０および外部コネクタ６１よりも前側に突出する。支柱６７は、取付台５７の可動用孔６４に嵌め込まれるものであって、コネクタ容器５８から後側に突出する。支柱６７におけるコネクタ容器５８から後側への突出寸法は、可動用孔６４の周りにおける取付台５７の厚さ（前後方向の寸法）よりも大きい。
【００１７】
コネクタ基板５９は、コネクタ容器５８の前面に固定され、プリント配線板からなる回路基板に、内部コネクタ６０および外部コネクタ６１を実装した構造である。内部コネクタ６０の合成樹脂からなるコネクタボディおよび外部コネクタ６１の合成樹脂からなるコネクタボディが回路基板に固定され、内部コネクタ６０のコネクタピンと呼ばれる電気接続端子および外部コネクタ６１のコネクタピンと呼ばれる電気接続端子が、互いに、電気を伝達するように、回路基板に設けられた箔状の電線で接続される。内部コネクタ６０には、可動枠３の裏面に取り付けられた図外の電気部品を接続する枠側配線６３が接続される。可動枠３の裏面に取り付けられた電気部品としては、図１の球発射機構２９、図２の電源装置５２および発射払出制御装置５３、図外の表示灯、図外のスピーカなどである。外部コネクタ６１は、図５の外部コネクタ８０と接続される。抜止体６２は、可動用孔６４の口径よりも大きな外径を有する。抜止体６２には、ねじ挿入孔６８が、前後方向への貫通孔として設けられる。
【００１８】
そして、支柱６７が取付台５７の前側から可動用孔６４に挿入され、取付台５７から後側に突出した支柱６７に抜止体６２が取付台５７の後側から重ね合わされ、タッピングスクリューのような止ねじ６９が抜止体６２の後側からねじ挿入孔６８を経由して支柱６７に締結され、コネクタ容器５８が取付台５７に平行に左右上下方向に移動可能に取り付けられる。その後、取付台５７が可動枠３の前側から取付足５６に重ね合わされ、タッピングスクリューのような止ねじ７０が取付台５７の前側からねじ挿入孔６５を経由して取付足５６に締結され、取付台５７がコネクタ取付部５５に固定的に取り付けられる。これによって、枠側電気接続構造体２０が図４に示すようにコネクタ取付部５５の前面と平行に左右上下方向に移動可能に取り付けられる。
【００１９】
図４を参照し、枠側電気接続構造体２０が可動枠３に取り付けられた構造について説明する。抜止体６２とコネクタ容器５８との間の寸法Ｔ１が、取付台５７における可動用孔６４の周りの前後方向の寸法Ｔ２よりも大きい寸法となり（Ｔ１＞Ｔ２）、枠側電気接続構造体２０がコネクタ取付部５５の前面と平行な縦横方向に移動可能に取り付けられている。そして、枠側電気接続構造体２０がコネクタ取付部５５に縦方向に取り付けられた場合、支柱６７が枠側電気接続構造体２０の自重で可動用孔６４の下縁部に接触して搭載されているが、支柱６７の外径が可動用孔６４の口径よりも細いので、枠側電気接続構造体２０は支柱６７の外径と可動用孔６４の口径との差の範囲でコネクタ取付部５５の前面と平行な方向に自由に移動することができる。７１は、内部コネクタ６０および外部コネクタ６１をコネクタ基板５９に取り付けた止ねじである。７２は、コネクタ基板５９をコネクタ容器５８に取り付けた止ねじである。
【００２０】
図５は、盤側電気接続構造体４４の遊技盤４１への取付構造について説明する。遊技盤４１には、盤側電気接続構造体４４を取り付ける部分としてのコネクタ取付部７４が設けられる。コネクタ取付部７４には、複数の取付足７５が後側に突出する。例えば、コネクタ取付部７４は、遊技盤４１の前面に固定された盤面飾り７６が遊技盤４１から右側に突出した部分の裏面として構成される。盤側電気接続構造体４４は、コネクタ容器７７、コネクタ基板７８、内部コネクタ７９、外部コネクタ８０を備える。コネクタ容器７７には、上下の位置決め部８１が設けられる。位置決め部８１は、図３の盤枠側電気接続構造体２０と盤側電気接続構造体４４とが嵌め込まれる場合に、図３の位置決め部６６に嵌め込まれることによって、枠側電気接続構造体２０と盤側電気接続構造体４４との位置を整合させるものであって、内部コネクタ７９および外部コネクタ８０よりも後側に突出する。位置決め部８１には、ねじ挿入孔８２が前後方向への貫通孔として設けられる。
【００２１】
コネクタ基板７８は、コネクタ容器７７の左面に固定され、プリント配線板からなる回路基板に、内部コネクタ７９および外部コネクタ８０を実装した構造である。内部コネクタ７９の合成樹脂からなるコネクタボディおよび外部コネクタ８０の合成樹脂からなるコネクタボディが回路基板に固定され、内部コネクタ７９のコネクタピンと呼ばれる電気接続端子および外部コネクタ８０のコネクタピンと呼ばれる電気接続端子が、互いに、電気を伝達するように、回路基板に設けられた箔状の電線で接続される。内部コネクタ７９には、遊技盤４１の裏面に取り付けられた図外の電気部品を接続する盤側配線８３が接続される。外部コネクタ８０は、図３の外部コネクタ６１と接続される。そして、タッピングスクリューのような止ねじ８４がコネクタ容器７７の後側からねじ挿入孔８２を経由して取付足７５に締結されることによって、コネクタ容器７７がコネクタ取付部７４に固定的に取り付けられる。これによって、盤側電気接続構造体４４が図１に示すように取り付けられる。
【００２２】
図６を参照し、枠側取付構造体１１の構造について説明する。枠側取付構造体１１の骨格部１４は、金属板を直角に折り曲げたことにより、縦後基盤８６と、縦後基盤８６の左縁部から前側に直角に突出した縦左基盤８７と、縦後基盤８６の上端部から右側に直線的に突出した縦板状の上横後基盤８８と、上横後基盤８８の上縁部から前側に直角に突出した上横上基盤８９と、縦後基盤８６の上部および縦左基盤８７の上部のそれぞれから右側に直線的に突出した縦板状の誘導基盤９０と、縦後基盤８６の下端部から右側に直線的に突出した縦板状の下滑走係合部１７と、下滑走係合部１７の下縁部から前側に直角に突出した下横下基盤９１と、下横下基盤９１の前縁部から上側に直角に突出した下横前基盤９２とを備える。上横上基盤８９にはヒンジ１５および開度保持部１８が設けられる。誘導基盤９０には、上回転係合部１６が、誘導基盤９０の上端面から内部に窪む半円弧状の凹部として形成される。下横下基盤９１にはヒンジ１５が設けられる。そして、図１の遊技盤４１および盤側取付構造体４３が相対峙する誘導基盤９０の間を通過することによって、図１の上回転係合部４６が誘導基盤９０と上横後基盤８８との間を経由して上方から上回転係合部１６に回転可能に落とし込まれる。
【００２３】
図７のａ図を参照し、開度保持部１２と開度規制部１３と開度保持部１８との関係について説明する。開度保持部１２は、板ばね９４と突起９５とを備える。板ばね９４は、盤収納室構造体８における背壁９の前面に前側から固定的に取り付けられる。突起９５は、板ばね９４における背壁９の前面から前側に突出した前端部から下側に突出するように、板ばね９４の前端部に設けられる。背壁９には、開度規制部１３が、背壁９から前側に突出した突起として設けられる。
【００２４】
図７のｂ図を参照し、枠側取付構造体１１がヒンジ１５を中心として可動枠３から矢印Ｗ１で示す前側に横方向に開放された場合と、枠側取付構造体１１がヒンジ１５を中心として可動枠３の前側から矢印Ｗ２で示す後側に横方向に閉じられた場合とにおける、可動枠３と枠側取付構造体１１との関係について説明する。枠側取付構造体１１が、人によって、仮想線で示す位置から矢印Ｗ１で示す前側に横方向に開放されて実線で示す位置に到達すると、可動枠３の開度保持部１２と枠側取付構造体１１の開度保持部１８とが互いに係合し、枠側取付構造体１１が、それ以上、矢印Ｗ１で示す前側に回転しないように停止する。このように開度保持部１２と開度保持部１８とが互いに係合した場合、枠側取付構造体１１の縦後基盤８６が開度規制部１３に接触するかまたは接触する程度に近づく。そして、枠側取付構造体１１に前側に回転するような外力が加わった場合、縦後基盤８６が開度規制部１３に衝突し、上記開度保持部１２と開度保持部１８との係合が保たれ、枠側取付構造体１１がそれ以上前側に回転しない。これによって、枠側取付構造体１１の誘導基盤９０の前端部および下横下基盤９１の前端部は、可動枠３の盤収納室構造体８および盤棚２７よりも前側に突出する。このように誘導基盤９０の前端部および下横下基盤９１の前端部が可動枠３の盤収納室構造体８および盤棚２７よりも前側に突出した状態となっているので、遊技盤４１を枠側取付構造体１１に挿入し、盤側取付構造体４３の上回転係合部４６と枠側取付構造体１１の上回転係合部１６とを互いに嵌め合わせる場合、および、枠側取付構造体１１の下滑走係合部１７と盤側取付構造体４３の下誘導溝４８とを互いに嵌め合わせる場合の作業性がよい。
【００２５】
次に、枠側取付構造体１１が実線で示すように開度保持部１２と開度保持部１８とが互いに係合した状態において、枠側取付構造体１１が人または図１の盤側取付構造体４３によって開度保持部１２における板ばね９４のばね力に抗して矢印Ｗ２で示す後側に回転されると、板ばね９４が上側に撓み、突起９５が開度保持部１８の周囲における上横上基盤８９（図７のａ図参照）で持ち上げられて開度保持部１８から解除され、枠側取付構造体１１が、実線で示す位置から矢印Ｗ２で示す後側に押されて横方向に閉じられて仮想線で示す位置に到達する。仮想線で示す位置の枠側取付構造体１１と実線で示す位置の枠側取付構造体１１とからなる枠側取付構造体１１の最大開放角度θ１は、例えば、４５度になっている。仮想線で示す位置の前扉５における可動枠３の一点鎖線Ｌ１で示す前面に対する前側への最大開放角度θ２は、例えば、１２０度になっている。よって、枠側取付構造体１１の最大開放角度θ１は、前扉５の最大開放角度θ２よりも小さい角度である（θ１＜θ２）。
【００２６】
最良の形態によれば、図１において、枠側取付構造体１１が可動枠３の左側部に回転可能に設けられ、枠側電気接続構造体２０が可動枠３の右側部に上下左右方向に移動可能に設けられ、盤側取付構造体４３が遊技盤４１の左側部に固定的に設けられ、盤側電気接続構造体４４が遊技盤４１の右側部に固定的に設けられ、枠側取付構造体１１が可動枠３の盤収納室構造体８の内部からの可動枠３の前側に横方向に回転された状態において、遊技盤４１を取り付ける場合、盤側取付構造体４３の上回転係合部４６が枠側取付構造体１１の上回転係合部１６に嵌め込まれ、遊技盤４１が人によって下方に向けて回転操作されることによって、枠側取付構造体１１の下滑走係合部１７が盤側取付構造体４３の下誘導溝４８に取り込まれ、下滑走係合部４７と下滑走係合部１７とが互いに嵌まり合ったまま、下滑走係合部４７が骨格部１４の方向に滑走し、遊技盤４１の左側部が盤収納室構造体８に配置された後、遊技盤４１の右側部が人によって前側から可動枠３の方向に押されると、開度保持部１２と開度保持部１８との係合が解除される。そして、図８のａ図に矢印Ｗ２で示すように、遊技盤４１の右側部が可動枠３の方向に押されるのに伴い、枠側取付構造体１１がヒンジ１５を中心として可動枠３の方向に回転し、盤側電気接続構造体４４が枠側電気接続構造体２０に接触する。枠側電気接続構造体２０と盤側電気接続構造体４４とが互いに接触するのに伴い、図８のｂ図に示すように、枠側電気接続構造体２０が背壁９の前面と平行に左右上下方向に移動し、枠側電気接続構造体２０と盤側電気接続構造体４４とが互いに接続される。電気部品の搭載された遊技盤４１を電気部品の搭載された可動枠３に取り付けることによって、遊技盤４１の電気部品と可動枠３の電気部品との相互接続が行える。
【００２７】
図３の内部コネクタ６０には図１の可動枠３に搭載された電気部品が接続され、図３の外部コネクタ６１には図５の外部コネクタ８０が接続されるというように、枠側電気接続構造体２０が役割分担した内部コネクタ６０および外部コネクタ６１を備えているので、可動枠３の電気部品と枠側電気接続構造体２０との配線が整頓できるという利点がある。また、図５の内部コネクタ７９には遊技盤４１に搭載された電気部品が接続され、図５の外部コネクタ８０には図３の外部コネクタ６１が接続されるというように、盤側電気接続構造体４４が役割分担した内部コネクタ７９および外部コネクタ８０を備えているので、遊技盤４１の電気部品と盤側電気接続構造体４４との配線が整頓できるという利点がある。
【００２８】
図３および図５において、枠側電気接続構造体２０が遊技機枠１のコネクタ取付部５５の前面と平行な縦横方向に移動可能に取り付けられ、枠側電気接続構造体２０が枠側位置決め部６６を備え、遊技盤４１に設けられた盤側電気接続構造体４４が盤側位置決め部８１を備えている。このため、枠側位置決め部６６と盤側位置決め部８１とが個別に嵌め込まれることによって、枠側電気接続構造体２０と盤側電気接続構造体４４との位置が整合し、枠側電気接続構造体２０の電気接続端子と盤側電気接続構造体４４の電気接続端子とが適切に接続されるという利点がある。
【産業上の利用可能性】
【００２９】
図９および図１０は、発明を実施するための異なる第１の形態である。図９は、遊技機枠１と遊技盤４１とを分解して示す。図１０は、枠側取付構造体１１を示す。図１０において、枠側取付構造体１１は、図６に示す枠側取付構造体１１から上回転係合部１６および誘導基盤９０が取り除かれ、図６に示す上横後基盤８８に相当する上滑走係合部９７および上横上基盤８９のヒンジ１５から右側への突出寸法が大きく形成され、上横前基板９８が上横上基盤８９の前縁部から下方に直角に突出した構造が、図６の枠側取付構造体１１の構造と異なる。図９において、盤側取付構造体４３は、図５に示す盤側取付構造体４３に上滑走係合部１０７を設けた構造が、図５の盤側取付構造体４３の構造と異なる。上滑走係合部１０７は、骨格部４５の上部から裏側に突出した後に上方に折り曲げられた形状である。上滑走係合部１０７の前面と骨格部４５の裏面との間には、左側と右側および上側に開口した上誘導溝１０８が形成される。上誘導溝１０８は、上滑走係合部９７を移動可能に取り込む溝である。これらの構造上の相違によって、図９に示す遊技盤４１を盤収納室構造体８に取り付ける場合、遊技盤４１の左側部を回転することなく直線的に滑走係合することができる。
【００３０】
図９において、枠側取付構造体１１が可動枠３の左側部に回転可能に設けられ、枠側電気接続構造体２０が可動枠３の右側部に上下左右方向に移動可能に設けられ、盤側取付構造体４３が遊技盤４１の左側部に固定的に設けられ、盤側電気接続構造体４４が遊技盤４１の右側部に固定的に設けられ、枠側取付構造体１１が可動枠３の盤収納室構造体８の内部からの可動枠３の前側に横方向に回転された状態において、遊技盤４１を取り付ける場合、盤側取付構造体４３の骨格部４５の下部が枠側取付構造体１１の下滑走係合部１７と下横前基盤９２との間の隙間に挿入され、盤側取付構造体４３の骨格部４５の上部が枠側取付構造体１１の上滑走係合部９７と上横前基盤９８との間の隙間に挿入され、盤側取付構造体４３の下滑走係合部４７が枠側取付構造体１１の下滑走係合部１７に嵌め込まれ、盤側取付構造体４３の上滑走係合部１０７が枠側取付構造体１１の上滑走係合部９７に嵌め込まれ、遊技盤４１の左側部が人によって枠側取付構造体１１の方向に直線的に押し込まれる。これによって、上滑走係合部９７が上誘導溝１０８に取り込まれて上滑走係合部９７と上滑走係合部１０７とが互いに嵌まり合ったまま、また、下滑走係合部１７が下誘導溝４８に取り込まれて下滑走係合部４７と下滑走係合部１７とが互いに嵌まり合ったまま、上滑走係合部１０７および下滑走係合部４７が骨格部１４の方向に滑走し、遊技盤４１の左側部が盤収納室構造体８に配置される。その後、遊技盤４１の右側部が人によって前側から可動枠３の方向に押されると、開度保持部１２と開度保持部１８との係合が解除され、遊技盤４１の右側部が可動枠３の方向に押されるのに伴い、枠側取付構造体１１がヒンジ１５を中心として可動枠３の方向に回転し、盤側電気接続構造体４４が枠側電気接続構造体２０に接触する。枠側電気接続構造体２０と盤側電気接続構造体４４とが互いに接触するのに伴い、枠側電気接続構造体２０が背壁９の前面と平行に左右上下方向に移動し、枠側電気接続構造体２０と盤側電気接続構造体４４とが互いに接続される。電気部品の搭載された遊技盤４１を電気部品の搭載された可動枠３に取り付けることによって、遊技盤４１の電気部品と可動枠３の電気部品との相互接続が行える。
【００３１】
図１１は、発明を実施するための異なる第２の形態に係る遊技機枠１と遊技盤４１とを分解して示す。図１１において、枠側取付構造体１１は、上回転係合部１００および下回転係合部１０１を備える。上回転係合部１００は、骨格部１４から前側に直角に突出した上ヒンジブラケットから上方に突出した棒状のヒンジピンにより構成される。下回転係合部１０１は、骨格部１４から前側に直角に突出した下ヒンジブラケットから上方に突出した棒状のヒンジピンにより構成される。盤側取付構造体４３は、上回転係合部１０２および下回転係合部１０３を備える。上回転係合部１０２は、骨格部４５から左側に直角に突出した上ヒンジブラケットに上下方向への貫通孔として形成されたヒンジ孔により構成される。下回転係合部１０３は、骨格部４５から左側に直角に突出した下ヒンジブラケットに上下方向への貫通孔として形成されたヒンジ孔により構成される。
【００３２】
そして、枠側取付構造体１１が可動枠３の左側部に固定的に設けられ、枠側電気接続構造体２０が可動枠３の右側部に上下左右方向に移動可能に設けられ、盤側取付構造体４３が遊技盤４１の左側部に固定的に設けられ、盤側電気接続構造体４４が遊技盤４１の右側部に固定的に設けられた状態において、遊技盤４１を取り付ける場合、盤側取付構造体４３の上回転係合部１０２および下回転係合部１０３が枠側取付構造体１１の上回転係合部１００および下回転係合部１０１に個別に嵌め込まれ、遊技盤４１の左側部が盤収納室構造体８に配置される。その後、遊技盤４１の右側部が人によって前側から可動枠３の方向に押されると、遊技盤４１が上回転係合部１００；１０２と下回転係合部１０１；１０３とを中心として可動枠３の方向に回転し、盤側電気接続構造体４４が枠側電気接続構造体２０に接触する。枠側電気接続構造体２０と盤側電気接続構造体４４とが互いに接触するのに伴い、枠側電気接続構造体２０が背壁９の前面と平行に左右上下方向に移動し、枠側電気接続構造体２０と盤側電気接続構造体４４とが互いに接続される。電気部品の搭載された遊技盤４１を電気部品の搭載された可動枠３に取り付けることによって、遊技盤４１の電気部品と可動枠３の電気部品との相互接続が行える。
【００３３】
図１２は、発明を実施するための異なる第３の形態に係る遊技機枠１と遊技盤４１とを分解して示す。図１２において、枠側取付構造体１１が、盤押圧体１０５と盤受止体１０６を備える。盤押圧体１０５は、盤収納室構造体８の左側部に設けられ、遊技盤４１の左側部を裏側から前側に押圧する板ばねにより構成される。盤受止体１０６は、盤収納室構造体８の左側部に設けられ、盤押圧体１０５で前側に押された遊技盤４１の左側部を前側から受け止める突起により構成される。
【００３４】
そして、枠側取付構造体１１が可動枠３に設けられた状態において、遊技盤４１を取り付ける場合、遊技盤４１の左側部が盤収納室構造体８に挿入されて盤押圧体１０５と盤受止体１０６との間に挿入され、遊技盤４１の右側部が人によって前側から可動枠３の方向に押されると、遊技盤４１が盤押圧体１０５と盤受止体１０６とを中心として可動枠３の方向に回転し、盤側電気接続構造体４４が枠側電気接続構造体２０に接触する。枠側電気接続構造体２０と盤側電気接続構造体４４とが互いに接触するのに伴い、枠側電気接続構造体２０が背壁９の前面と平行に左右上下方向に移動し、枠側電気接続構造体２０と盤側電気接続構造体４４とが互いに接続される。電気部品の搭載された遊技盤４１を電気部品の搭載された可動枠３に取り付けることによって、遊技盤４１の電気部品と可動枠３の電気部品との相互接続が行える。
【図面の簡単な説明】
【００３５】
【図１】遊技機枠と遊技盤とを分解したパチンコ遊技機の斜視図（最良の形態）。
【図２】可動枠の裏側を示す斜視図（最良の形態）。
【図３】枠側電気接続構造体の可動枠への取付構造の分解斜視図（最良の形態）。
【図４】枠側電気接続構造体の可動枠への取付構造の縦端面図（最良の形態）。
【図５】盤側電気接続構造体の遊技盤への取付構造の分解斜視図（最良の形態）。
【図６】枠側取付構造体を示す斜視図（最良の形態）。
【図７】ａ図は開度保持部と開度規制部と開度保持部との関係を示す正面図、ｂ図はａ図のＢ−Ｂ線線断面図（最良の形態）。
【図８】遊技盤取付装置によって遊技盤が盤収納室構造体に取り付けられる過程を示す横断面図（最良の形態）。
【図９】遊技機枠と遊技盤とを分解したパチンコ遊技機の斜視図（異なる第１の形態）。
【図１０】枠側取付構造体を示す斜視図（第１の異なる形態）。
【図１１】遊技機枠と遊技盤とを分解したパチンコ遊技機の斜視図（異なる第２の形態）。
【図１２】遊技機枠と遊技盤とを分解したパチンコ遊技機の斜視図（異なる第３の形態）。
【符号の説明】
【００３６】
１    遊技機枠
８    盤収納室構造体
１１  枠側取付構造体
２０  枠側電気接続構造体
４１  遊技盤
４４  盤側電気接続構造体
【図１】
2006280856.tif 000003
【図２】
2006280856.tif 000004
【図３】
2006280856.tif 000005
【図４】
2006280856.tif 000006
【図５】
2006280856.tif 000007
【図６】
2006280856.tif 000008
【図７】
2006280856.tif 000009
【図８】
2006280856.tif 000010
【図１０】
2006280856.tif 000011
【図９】
2006280856.tif 000012
【図１１】
2006280856.tif 000013
【図１２】
2006280856.tif 000014